【事件の表示】
　平成　３年特許願第２２５２８８号「電話帳データ機能付発呼装置」拒絶査定に対する審判事件［平成　５年　２月２６日出願公開、特開平　５−　４８７０４］について、次のとおり審決する。
【結　論】
　本件審判の請求は、成り立たない。
【理　由】
　１．手続の経緯、本願発明
　本願は、平成３年８月１２日の出願であって、その請求項１に係る発明（以下、「本願発明」という。）は、平成１３年４月９日付け手続補正により最終的に補正された明細書および図面の記載からみて、その特許請求の範囲請求項１に記載された次の事項により特定されるものと認める。
 　
　（特許請求の範囲）
　「【請求項１】　電話番号、相手の氏名等で構成した電話帳データを記憶する記憶部と、電話帳データを表示するディスプレイと、このディスプレイ上に表示された電話帳データの中から発呼相手の電話帳データを指示して発呼指令を出力する入力手段と、発呼指令によって指示された電話帳データを記憶部から読み出して発呼させるコントロール部とを備え、自動発呼が可能な電話帳データ機能付電話発呼装置において、前記記憶部は、重要度が高い電話帳データを記憶する固定電話帳データ記憶部と、最近に使用したものから順に電話帳データが並び替えられる可変電話帳データ記憶部を有し、前記コントロール部は、前記固定電話帳データ記憶部に記憶されている電話帳データと、前記可変電話帳データ記憶部に記憶されている電話帳データを、前記ディスプレイ上において互いに異なる表示領域に表示させ、かつ前記可変電話帳データ記憶部に記憶されている電話帳データは最近に使用したものから順に表示させるように制御することを特徴とする電話帳データ機能付電話発呼装置。」
　　
　２．引用例に記載された発明
　（１）原査定の拒絶の理由に引用された特開平３−１１７２５６号公報 （平成３年５月２０日出願公開、以下、「引用例１」という。）には、図面の記載とともに、下記ア．、イ．の記載がなされている。　
　ア．「〔実施例〕
　以下、図面を参照して本発明の一実施例を詳細に説明する。
第１図は、本実施例の発呼装置（ダイヤル装置）を内蔵したファクシシミリ装置の基本構成を示したブロック図である。
第１図においては、１は電話番号や発呼指示等の各種のデータ及び指示入力のための複数のキー入力スイッチなどから構成される操作部である。
　２は操作部１より予め登録された電子電話帳の電話番号データを格納する為の電話番号メモリであり、該メモリ２の記憶領域の一部に何件分かの発呼済の電話番号データを格納する領域が設けられている。
　３は発呼する又は発呼した電話番号等の各種の情報を表示する為の表示郡であり、液晶表示器（ＬＣＤ）等より構成されている。
　４はファクシミリ装置全体の制御及びメモリ２の電子電話帳の電話番号の検索及びダイヤリング（発呼）等の制御を行う制御部であり、マイクロコンピュータ及び制御プロクラムメモリ（ＲＯＭ）、データの一時記憶メモリ（ＲＡＭ）等のマイクロコンピュータの周辺機器より構成されている。
　５は制御部４より出力される電話番号データに応じたダイヤル信号（パルスダイヤル信号又はトーンダイヤル信号）を回線１１へ送出するダイヤラー（発呼装置）である。
　６は原稿を読み取る為の読取部であり、リーダより構成されている。
　７は画信号を記録する為の記録部であり、感熱方式等のプリンタより構成されている。
　８は制御部４より出力されるファクシミリ通信手順の制御信号及び符号化された画信号を変調したり、回線１１より受信した制御信号及び画信号を復調するモデムである。
　９は回線１１をモデム側又は電話機１０（ハンドセット）側に切換接続する為の制御装置（ＮＣＵ）である。
本実施例のファクシミリ装置は、以上の各部より構成されている。尚、本実施例では、発呼の構成に着目したものであり、以下の説明では発呼について説明するものとする。即ち、本発明は特にファクシミリ装置に限らずテレテックスや電話機等の種々の通信装置に適用できるものである。
　第２図は、第１図の操作部１より特に発呼に関するキー入力スイッチを示したものである。第２図において、１１は電話番号を入力する為のテンキーと＊キー及び＃キーであり、１２は電話電話帳の電話番号の検索と発呼済みの電話番号の検索を切り換える為の切換キーであり、１３はメモリ２の検索アドレスを１つシフトアップするアップキーであり、１４はメモリ２の検索アドレスを１つシフトタウンするダウンキーである。そして、１５は検索アドレスにより指定されるメモリ２の電話番号の発呼を指示する為のスタートキーである。尚、検索アドレスにより指定されるメモリ２の電話番号及び相手略称又は発呼時刻の情報は、ＬＣＤ３に表示される。
次に電話番号メモリ２の電子電話帳の電話番号データと発呼済み電話番号データの記憶領域について説明する。
　第３図は、電子電話帳の電話番号データのメモリ２における記憶領域を示したものである。本実施例の電子電話帳では２３の相手略称のアイウエオ順にソーテイングされてメモリ２に格納されている。２１は通話用の電話番号がファクシミリ通信用の電話番号かを示す情報であり、“Ｔ”が通話用、“Ｆ”がファクシミリ用であることを示す。又、制御部４の不図示のＲＡＭ上に検索アドレスポインタが設けられており、第２図の電話帳キー１２の押下によって、第３図の検索アドレス２０の“０１００がＲＡＭ上の検索アドレスポインタにセットされる。そして、制御部４はこの検索アドレスポインタにセットされたメモリ２のアドレスに格納されている電話番号データと相手略称のデータを読み出してＬＣＤ３にその内容を表示する。
　又、本実施例の電子電話帳では、読取部６への原稿セットの有無により通話用の電話番号とファクシミリ用の電話番号の検索を行うものである。例えば読取部６に原稿がセットされていない状態で電話帳キー１２が押下されると通話の為の発呼として、ファクシミリ用の電話番号を飛ばして検索される。又、読取部６に原稿がセットされている状態で電話帳キー１２が押下されるとファクシミリ送信の為の発呼として、通話用の電話番号を飛ばして検索される。この検索については、制御部４が第３図のＴＥＬ／ＦＡＸ情報２１を判断することにより行われる。又、第４図は、発呼済み電話番号データのメモリ２における記憶領域を示した図である。通常状態で（電話帳キー１２が押下されずに）シフトアップキー１３（上キー）が押下されると制御部４のＲＡＭ上の検索アドレスポインタに第４図の検索アドレス２０の“０１１０”がセットされ、１０件（本実施例では１０件を例に説明しているが１０件に限るものではない）の発呼済み電話番号の内一番古い電話番号がＬＣＤ３に表示されることになる。又シフトダウンキー１４（下キー）が押下されると１０件の発呼済み電話番号の内一番新しい電話番号がＬＣＤ３に表示されることになる。又、第４図では、発呼済みの電話番号の発呼時刻の情報２６と発呼回教の情報２７が格納されており、発呼時刻が古い順に上から（アドレス“０１１０”から）ソーテイングされている。
　尚、発呼済み電話番号の場合には、電子電話帳の場合と異なり原稿の有無による検索の切換えはない。又、既にメモリ２に格納されている発呼済みの電話番号１０件中の１つが発呼された場合には、第４図の発呼時刻情報２６と発呼回数情報２７を更新し、ソーテイングを行う。又メモリ２の発呼済み電話番号領域に格納されていない新たな電話番号が発呼されると、一番古い番号のエリア（即ち、アドレス“０１１０”）に新たな番号のデータが記憶された後にソーテイングされる。」（２頁左上欄１８〜３頁左下欄１５行）、
　
　イ．「第５図は、本実施例の制御部４の制御動作を示したフローチャート図であり、以下第５図のフローチャート図に基づいて本実施例の制御動作について説明する。
　まず、待機状態においては、ステップＳ１，Ｓ２，Ｓ３，Ｓ４において各種のキー入力の有無をチエックする。そして、上キー１３がオンされるとステップＳ７において上キー１３の入力と判定し、又、下キー１４がオンされるとステップＳ２において下キー１４の入力と判定し、発呼済み電話番号データの検索としてステップＳ５でＲＡＭ上の検索アドレスポインタにアドレス“０１１０”をセットし、又ステップＳ６で検索アドレスポインタにアドレス“０１０１”をセットした後、ステップＳ７に進む。そしてステップＳ７において、検索アドレスポインタにセットされているアドレスの電話番号データと発呼時刻のデータ（第４図参照）をメモリ２より読み出してＬＣＤ３に表示する。
　次にステップＳ８，Ｓ１１，Ｓ１４において上キー１３のオン、下キー１４のオン、スタートキー１５のオンを判定し、上キー１３がオンされるとステップＳ９にて検索アドレスポインタのアドレスデータが“０１１０”が否かを判定してアドレスデータが“０１１０”であればステップＳ６に戻り、アドレスデータが“０１１０”でなければステップＳ１０で検索アドレスポインタのアドレスデータをインクリメントしてステップＳ７に戻る。これにより、電話番号データの表示が更新される。
　又、ステップＳ１１にて下キー１４のオンと判定するとステップＳ１２にて検索アドレスボインタのアドレスデータが“０１０１”か否か判定し、アドレスデータが“０１０１”であれはステップＳ５に戻り、アドレスデータが“０１０１”でなければステップＳ１３にて検索アドレスポインクのデータをデクリメントしてステップＳ７に戻る。
　以上のステップＳ８〜Ｓ１３の制御により上キー１３の押下により第４図の発呼済み電話番号データのアドレス２０が１つ上にシフトし、又下キー１４の押下により第４図のアドレス２０が１つ下にシフトしてＬＣＤ３の表示が更新される。
　又、ステップＳ１４にてスタートキー１５のオンと判定すると検索アドレスポインタにセットされているメモリ２のアドレスの電話番号データをメモリ２より読み出してダイヤラー５に出力し発呼を行う。そしてステップＳ１６で検索アドレスポインタのアドレスの発呼時刻データに現時刻に書き換えるとともに発呼回数データをインクリメントする。そして、ステップＳ１７にて発呼時刻データに基づいてソーテイングを行う。又、ステップＳ３において、電話帳キー１２のオンと判定すると電子電話帳モードとなってステップＳ１８に進み、検索アドレスポインタに“０１００”をセットした後ステップＳＩ９に進む。
　ステップＳ１９では、読取部６に送信原稿がセットされているか否かを判断し、原稿がセットされていなければステップＳ２０に進んで通話用の電話番号の検索を行い、又原稿がセットされていればステップＳ２４に進んでファクシミリ送信用の電話番号の検索を行う。
　まずステップＳ２０では、検索アドレスポインタのアドレスデータに従ってメモリ２よりＴＥＬ／ＦＡＸ情報２１を読み出し、通話用の電話番号データか否か判断する。そして、通話用の電話番号データであればステップＳ２８に進んで前述したステップＳ７と同様にＬＣＤ３に表示し、フアクシミリ送信用の電話番号データであれはステップＳ２１でアドレスポインタをデクリメントし、ステップＳ２２に進む。ステップＳ２２では検索アドレスポインタが“００００”であるか否かを判断し、“００００”であれば“０１０１”から“０００１”まで検索しても通話用の電話番号がなかったものとしてステップＳ２３でＴＥＬ用の電話番号データの登録がないことを示す表示を行う。
　一方、ステップＳ２８にて電話番号データと相手略称をＬＣＤ３に表示した後、ステップＳ２９，Ｓ３２，Ｓ３５において上キー１３のオン、下キー１４のオン、スタートキー１５のオンを判定し、上キー１３のオンと判定するとステップＳ３０に進み、下キー１４のオンと判定するとステップＳ３３に進み、スタートキー１５のオンと判定するとステップＳ３６に進む。
　上キー１３がオンされてステップＳ３０に進むと、ステップＳ３０，Ｓ３１において検索アドレスポインタをインクリメントしながら次の通話用の電話番号を検索し、次の通話用の電話番号が見つかればステップＳ２８に戻って表示する．この時アドレス“０１００”まで検索されると検索アドレスは“０００１”に飛ぶ。
　又下キー１４がオンされてステップＳ３３に進むと、ステップＳ３３，Ｓ３４において検察アドレスポインタをデクリメントしながら次の通話用の電話番号を検索し、次の通話用の電話番号が見つかればステップＳ２８に戻って表示する。この時アドレス“０００１”まで検索されると検索アドレスは“０１００”に飛ぶ。
　又、スタートキー１５がオンされてステップＳ３６に進むと、ステップＳ３６において前述したステップＳ１５と同様に発呼を行い、ステップＳ３７にて発呼した電話番号が第４図に示す発呼済みの電話番号データエリアに既に格納されているものか否かを判断する。そして、ステップＳ３７で既に格納されていると判断するとその一致したアドレスを保持し、ステップ１６に進む。ステップＳ３７で第４図の発呼済み電話番号データエリアに格納されてないと判断（新たな番号と判断）すると、その電話番号データと発呼時刻データをメモリ２のアドレス“０１１０”に記憶させ、ステップＳ３９において第４図の発呼済み電話番号データをソーテイングする。
　−−−第６図は本実施例の電子電話帳の通話用の電話番号の検索の操作例を示した図であり、又、第７図は発呼済み電話番号の検索の操作例を示した図である。」（３頁左下欄１６〜５頁左下欄８行）。
　また、前記記載において、電話番号データ、相手略称のデータが電話帳データであることは自明のことである。
　
　前記記載及び図面の記載並びに当該技術分野の技術常識を勘案すると、
　
　引用例１には、
　「電話番号データ、相手略称のデータ等（第３図２２、２３等）及び電話番号データ等（第４図、２５等）で構成した電話帳データを記憶する電話番号メモリ２と、電話帳データを表示する表示部３と、この表示部上に表示された電話帳データから発呼相手の電話帳データを指示して発呼指令を出力するスタートキー１５と、発呼指令によって指示された電話帳データを電話番号メモリ２から読み出して発呼させる制御部４とを備え、自動発呼が可能な電話帳データ機能付電話発呼装置において、電話番号メモリ２は、電話帳データを記憶する固定の電話番号データ記憶エリア（第３図、検索アドレス０００１〜０１００）と、最近に使用したものから順に電話帳データが並び替えられる可変の発呼済みの電話番号データエリア（第４図検索アドレス０１０１〜０１１０）を有し、前記制御部４は、前記固定の電話番号データ記憶エリアに記憶されている電話番号データ、相手略称のデータ等の電話帳データと、前記可変の発呼済みの電話番号データエリアに記憶されている電話番号データ等の電話帳データを、前記表示部上において、電話帳キー１２あるいは下キー１４のオンにより、いずれか表示し、かつ前記可変の発呼済みの電話番号データエリアに記憶されている電話帳データは、下キー１４オン（第５図Ｓ２）に続く上キー１３のオン（第５図Ｓ８）により、最近に使用したものから順に表示させるように制御する電話帳データ機能付電話発呼装置。」、
　を構成とする発明（以下、「引用例１に記載された発明」）が記載されているものと認められる。
　
　３．対比・判断
　本願発明と引用例１に記載された発明とを対比すると、
　ａ．引用例１に記載された発明の「電話番号メモリ２」、「表示部３」、「スタートキー１５」、「制御部４」、「固定の電話番号データ記憶エリア」、「可変の発呼済みの電話番号データエリア」は、各々、本願発明の「記憶部」、「ディスプレイ」、「入力手段」、「コントロール部」、「固定電話帳データ記憶部」、「可変電話帳データ記憶部」に相当する。
  ｂ．本願発明の「電話番号、相手の氏名等で構成した電話帳データ」と、引用例１に記載された発明の「電話番号データ、相手略称のデータ等（第３図）及び電話番号データ等（第４図）で構成した電話帳データ」は、「電話番号等で構成した電話帳データ」で一致する。
　そうしてみると、両者は、
　「電話番号等で構成した電話帳データを記憶する記憶部と、電話帳データを表示するディスプレイと、このディスプレイ上に表示された電話帳データから発呼相手の電話帳データを指示して発呼指令を出力する入力手段と、発呼指令によって指示された電話帳データを記憶部から読み出して発呼させるコントロール部とを備え、自動発呼が可能な電話帳データ機能付電話発呼装置において、前記記憶部は、電話帳データを記憶する固定電話帳データ記憶部と、最近に使用したものから順に電話帳データが並び替えられる可変電話帳データ記憶部を有し、前記コントロール部は、前記固定電話帳データ記憶部に記憶されている電話帳データと、前記可変電話帳データ記憶部に記憶されている電話帳データを、前記ディスプレイ上において表示させ、かつ前記可変電話帳データ記憶部に記憶されている電話帳データは最近に使用したものから順に表示させるように制御する電話帳データ機能付電話発呼装置。」である点において一致し、
　
　以下の点（１）〜（４）において相違している。
　
　（１）「電話番号等で構成した電話帳データ」が、本願発明では、「電話番号、相手の氏名等で構成した電話帳データ」であるのに対し、引用例１に記載された発明では、「電話番号データ、相手略称のデータ等（第３図）及び電話番号データ等（第４図）で構成した電話帳データ」である点、
　（２）入力手段の「発呼相手の電話帳データを指示」について、本願発明が「ディスプレイ上に表示された電話帳データの中から」指示するのに対して、引用例１に記載された発明では、「ディスプレイ上に表示された電話帳データから」指示する点、
　（３）「固定電話帳データ記憶部」について、本願発明では、「重要度が高い電話帳データ」を記憶するのに対して、引用例１に記載された発明では、このような記載がない点、
　（４）前記コントロール部の、前記固定電話帳データ記憶部に記憶されている電話帳データと、前記可変電話帳データ記憶部に記憶されている電話帳データ、のディスプレイへの表示について、本願発明が「互いに異なる表示領域に」表示するのに対し、引用例１に記載された発明では「電話帳キー１２あるいは下キー１４のオンにより、いずれか」表示する点。
　次に、相違点（１）〜（４）ついて検討する。
　
　相違点（１）について、
　電話帳データを、電話番号、相手の氏名等で構成することは本願出願前周知・慣用技術であるから、引用例１の記憶部（メモリ２）の記憶する電話帳データを、電話番号、相手の氏名等とすることは当業者が容易に成し得たことである。
　
　相違点（２）について、
　複数の電話帳データをディスプレイ上に表示し、ディスプレイ上に表示された電話帳データの中から、発呼相手の電話帳データを指示して発呼指令を入力することは、本願出願前周知・慣用技術（必要ならば、例えば、実願昭６２−１７７３９７号（実開平１−８２５３７号公報参照）の明細書及び図面を撮影したマイクロフィルム、特開昭６３−１７３４４２号公報、特開平１−２００７７０号公報、参照）であり、引用例１に記載された発明において、入力手段の「発呼相手の電話帳データを指示」について、「ディスプレイ上に表示された電話帳データの中から」指示するようにすることは、当業者が容易に成し得たことである。
　
　相違点（３）について、
　引用例１に記載された発明において、固定電話帳データ記憶部（固定の電話番号データ記憶エリア（第３図））に記憶する電話帳データをどのようなものとするかは、使用者が適宜考慮すべきものであり、重要度が高い電話帳データ、とする程度のことは当業者が容易に成し得たことである。
　
　相違点（４）について、
　引用例１に記載された発明においては、固定電話帳データ記憶部（固定の電話番号データ記憶エリア）に記憶されている電話帳データと、可変電話帳データ記憶部（可変の発呼済みの電話番号データエリア）に記憶されている電話帳データを、電話帳キー１２あるいは下キー１４のオンにより、いずれか表示しているが、それらの両データを同時に表示すれば、固定電話帳の利便と、可変電話帳の利便の、双方を、同時に、享受し得ることは、当業者が予測し得る事項であり、引用例１に記載された発明において、前記固定電話帳データ記憶部に記憶されている電話帳データと前記可変電話帳データ記憶部に記憶されている電話帳データを同時に表示するため、前記固定電話帳データ記憶部に記憶されている電話帳データと前記可変電話帳データ記憶部に記憶されている電話帳データを、ディスプレイ上の、互いに異なる表示領域に、表示する程度のことは、当業者が容易に成し得る事項である。
　
　４、むすび
　以上のとおりであるから、本願発明は、前記引用例１に記載された発明及び周知・慣用技術に基いて当業者が容易に発明をすることができたものであるから、特許法第２９条第２項の規定により、特許を受けることができないものである。
　よって、結論のとおり審決する。